(57)【要約】【課題】より少ない部材数で製造可能なパッドを提供する。【解決手段】ショルダーパッド３のパッド本体４は、向かい合うように設けられた２つの側壁４１ａと、これらの側壁４１ａの間に、これらの側壁４１ａと共にコの字形状を形成するように設けられた底壁４１ｂと、を備える弾性体であるパッド部４１と；パッド部４１のコの字形状の内側に、２つの側壁４１ａの一方から他方まで設けられたリブ４２と；を備える。【選択図】図２
2009271511.tif 000002
【特許請求の範囲】
【請求項１】
第１側壁と、第１側壁に向かい合うように設けられた第２側壁と、前記側壁間に、前記側壁と共にコの字形状を形成するように設けられた底壁と、を備える弾性体であるパッド部と；
前記パッド部の前記コの字形状の内側に、前記第１側壁から第２側壁まで設けられたリブと；
を備えるパッド。
【請求項２】
前記リブは、前記パッド部と一体として形成されている
請求項１に記載のパッド。
【請求項３】
前記底壁は、前記底壁から前記第１及び第２側壁の突出している方向に向かって窪むように湾曲した底面を有する
請求項１又は２に記載のパッド。
【請求項４】
前記底面における湾曲の谷は、第１方向に沿って前記底壁を横切るように延びており、
前記リブは、前記第１方向に平行な方向に延びる形状である
請求項３に記載のパッド。
【請求項５】
本体装置に固定されるショルダーパッドであって、
向かい合うように設けられた２つの側壁と、前記側壁間に、前記側壁と共にコの字形状を形成するように設けられた底壁と、を備える弾性体であるパッド部と；
前記パッド部の前記コの字形状の内側に、２つの側壁の一方から他方まで設けられたリブと；
前記パッド部の前記コの字形状の内側が前記本体装置に対向するように、前記パッド部を前記本体装置に固定する固定部と；
を備えるショルダーパッド。
【請求項６】
前記リブは、前記パッド部が前記本体装置に固定されたときに、前記本体装置と前記リブとの間に間隙ができるように設けられる、
請求項５に記載のショルダーパッド。
【請求項７】
前記固定部は、前記パッド部が前記本体装置上に固定されるように、前記パッド部の外面において前記パッド部を支持する支持部材を備える
請求項５又は６に記載のショルダーパッド。
【請求項８】
前記支持部材として、
使用者に対する前後方向において、前記パッド部の第１端に配置される第１支持部材と、第２端に配置された第２支持部材と、を備える
請求項７に記載のショルダーパッド。
【請求項９】
前記底壁は、前記底壁から前記第１及び第２側壁の突出している方向に向かって窪むように湾曲した底面を有する
請求項５〜７のいずれか１項に記載のショルダーパッド。
【請求項１０】
前記本体装置は、前記パッド部が前記本体装置に固定されたときに前記パッド部の側壁が嵌るように設けられた段部を備え、
前記パッド部の側壁の厚みは、前記段部の幅以下に設定されている
請求項５〜９のいずれか１項に記載のショルダーパッド。
【請求項１１】
ビデオカメラ本体と、
請求項５〜１０のいずれか１項に記載のショルダーパッドと、
を備えるビデオカメラ。
【発明の詳細な説明】
【技術分野】
【０００１】
技術分野は、ショルダーパッド等に関する。
【背景技術】
【０００２】
従来、肩乗せタイプのビデオカメラ等の装置には、ショルダーパッドが設けられている。例えば、特許文献１には、図８に示すショルダーパッド１００が記載されている。
図６に示すように、ショルダーパッド１００は、表皮１０１、流動体１０２、下部骨板１０３及び１０４、並びに上部骨板１０５を備える。
表皮１０１はショルダーパッド１００の外皮を構成する袋状の部材であり、軟質塩化ビニル、ゴム材、又は合成皮革が成形されたものである。
流動体１０２は、プラスチック材若しくはカーボン等の粉体、又は、シリコンオイル若しくは油脂等のゲルである。流動体１０２は、表皮１０１内に充填されている。
下部骨板１０３及び１０４は、表皮１０１に形成された開口（図示しない）から、表皮１０１内に挿入されることで、表皮１０１内に配置されている。
【０００３】
上部骨板１０５は、ねじにより下部骨板１０３及び１０４に固定されている。つまり、表皮１０１は、上部骨板１０５と下部骨板１０３との間、上部骨板１０５と下部骨板１０４との間に挟まれている。上部骨板１０５がビデオカメラ本体（図示せず）にねじで固定されることで、ショルダーパッド１００がビデオカメラ本体に固定される。
【特許文献１】特開２０００−２１７０２０号公報
【発明の開示】
【発明が解決しようとする課題】
【０００４】
前記従来のショルダーパッドは、クッションとしての弾力性を得るために流動体１０２を必要とする。それゆえ、部材数が多く、製造工程も複雑になる傾向にあり、製造コストが高くなりやすいという問題があった。
本発明はこのような課題に鑑みてなされたもので、製造コストを低減可能なパッド、ショルダーパッド、及びビデオカメラ等を提供することを目的とする。
【課題を解決するための手段】
【０００５】
本発明のパッドは、第１側壁と、第１側壁に向かい合うように設けられた第２側壁と、前記側壁間に、前記側壁と共にコの字形状を形成するように設けられた底壁と、を備える弾性体であるパッド部と；前記パッド部の前記コの字形状の内側に、前記第１側壁から第２側壁まで設けられたリブと；を備える。
このパッドは、具体的にはショルダーパッドとして使用可能であり、より具体的には、ビデオカメラ等の種々の装置に使用可能である。
【発明の効果】
【０００６】
本発明のパッドは、パッド部及びその内部に設けられたリブによって、パッドとしての弾力性を実現することができる。そのため、流動体をパッド内部に充填する必要はなく、製造コストの低減が可能である。
【発明を実施するための最良の形態】
【０００７】
以下に、本発明の実施の形態について、図面を参照しながら説明する。
Ｉ．第１実施形態
Ｉ‐１．ビデオカメラの構造
図１は、本実施の形態におけるビデオカメラ１の側面図である。
図１に示すように、ビデオカメラ１は、カメラ本体（本体装置の一例）２と、ショルダーパッド３とを備える。
カメラ本体２は、本体ケーシング２１及び本体ケーシング２１に装着されたレンズ部２２を備える。本体ケーシング２１の内部には、レンズ部２２内のレンズを通して光をうけるように配置された撮像素子、撮像されたデータを記憶するメモリ、並びにバッテリー及び制御部等、種々の部材が内蔵されている（図示せず）。
【０００８】
ショルダーパッド３は、本体ケーシング２１の下面に配置されている。ショルダーパッド３は、パッド本体４、前方支持部材（固定部の一例）５、及び後方支持部材（固定部の一例）６を備える。
なお、本明細書において、前後、上下、及び左右等の方向を指す文言は、ビデオカメラ１の使用者から見た方向を指す。すなわち、“前”とはビデオカメラ１のレンズが向く方向（つまり図１における左方向）を、“後”とはそれとは逆の方向（つまり図１における右方向）を指し、“上”とは図１における上方向を、“下”とは図１における下方向を、“右”は図１の紙面の奥方向を、“左”は図１の紙面の手前方向を指す。説明の便宜上、図中に、前後方向、上下方向、左右方向をそれぞれ示す、ｘ、ｙ、及びｚ軸を記す。
図２にパッド本体（パッドの一例）４の斜視図を示す。図２に示すように、パッド本体４は、パッド部４１及びリブ４２を備える。パッド本体４は、全体が一体の弾性体により形成されている。弾性体とは、ゴム材又はエラストマー等、弾性を有する材料であればよい。パッド本体４は、一般的な射出成型により製造可能である。
【０００９】
図１等に示すように、パッド部４１は、一方向に長く延びる形状であり、その長手方向が、ビデオカメラ１の前後方向（ｘ軸方向）に沿うように配置される。図２及び後述の図６に示すように、パッド部４１は、その長手方向に垂直なｙ−ｚ平面における断面においてコの字形状となるように、形成されている。つまり、パッド部４１は、２つの側壁４１ａと、２つの側壁４１ａの間に設けられた底壁４１ｂとを備える。
図２に示すように、両方の側壁４１ａには、その後端の付近に、溝４３が設けられている。溝４３は、側壁４１ａの外面に設けられており、上下方向（ｙ軸方向）に長い形状である。
また、図２に示すように、パッド部４１のコの字形状のエッジ、つまり側壁４１ａの上端４１ｃには、それぞれ突起４４が設けられている。突起４４は、両方の側壁４１ａの後端の付近において、溝４３よりも前側に配置されており、上端部４１ｃから上方向に突出している。
【００１０】
また、図２に示すように、両方の側壁４１ａにはそれぞれ開口４５が設けられる。開口４５は、溝４３と突起４４との間に配置される。
図２に示すように、底壁４１ｂには、その前端の付近に、左右方向に並ぶ２つの開口４６が設けられ、底壁４１ｂには、その後端の付近に、左右方向に並ぶ２つの開口４７が設けられている。
図１及び図２等に示すように、パッド部の底壁４１ｂの底面は、上方に向かって窪むように湾曲している。言い換えると、パッド部の底壁４１ｂの底面には、パッド部４１の前後方向における略中央部分に、ｘ−ｙ平面における断面において、緩やかなカーブを描くように凹んだ凹部４１ｄが形成されている。凹部４１ｄは、パッド部４１を左右方向に横切るように設けられている。つまり、凹部４１ｄは、ｚ軸方向におけるパッド部４１の一端から他端まで連続するように設けられている。凹部４１ｄは、ビデオカメラ１の使用者の肩があたる部分であり、そのカーブは肩の形状に沿うように形成されている。上述の突起４４はこの凹部４１ｄよりも後方に、開口４６は凹部４１ｄより前方に配置される。
【００１１】
リブ４２は、パッド部４１のコの字形状の内側に、一方の側壁４１ａから他方の側壁４１ａまで設けられる。つまり、リブ４２は、一方の側壁４１ａの内面から、他方の側壁４１ａの内面まで連続するように形成されている。具体的には、図２に示すように、リブ４２は、底壁４１ｂの内側に、ｙ‐ｚ平面に平行に形成されている。図２に示すように、本実施形態では、４つのリブ４２がｘ軸方向において概ね等間隔に配置されている。ただし、リブ４２の形状、数、及び間隔は、これに限定されるものではない。
図３は、前方支持部材５の斜視図である。図３及び図４に示すように、前方支持部材５は、その内面がパッド部４１の前端の外面に沿うように形成されている。つまり、前方支持部材５は、２つの側壁５１と、２つの側壁５１の間に設けられた底壁５２と、を備える。ｙ−ｚ平面における前方支持部材５の断面は、２つの側壁５１及び底壁５２により形成されたコの字形状となっている。前方支持部材５はさらに、略矩形の前方壁５３を備え、前方壁５３は、三方を２つの側壁５１及び底壁５２に囲まれている。
【００１２】
前方支持部材５の底壁５２には、ビス穴５４を有するボス５５が設けられている。ボス５５は、その高さが、パッド部の底壁４１ｂの前端部の厚み、特に開口４６の周辺の厚みと等しくなるように形成されている。
前方支持部材５は、プラスチック材からなり、一般的な射出成型により成型可能である。
図４は、後方支持部材６の斜視図である。図４に示すように、後方支持部材６は、その内面がパッド部４１の後端の外面に沿うように形成されている。つまり、後方支持部材６は、２つの側壁６１と、２つの側壁６１の間に設けられた底壁６２と、を備える。ｙ−ｚ平面における後方支持部材６の断面は、２つの側壁６１及び底壁６２により形成されたコの字形状となっている。後方支持部材６はさらに、略矩形の後方壁６３を備え、後方壁６３は、三方を２つの側壁６１及び底壁６２に囲まれている。
【００１３】
後方支持部材６の底壁６２には、ビス穴６４を有するボス６５が設けられている。ボス６５は、その高さが、パッド部の底壁４１ｂの後端部の厚み、特に開口４７の周辺の厚みと等しくなるように形成されている。
また、後方支持部材６の両方の側壁６１には、ビス穴６６を有するボス６７がそれぞれ設けられている。ボス６７は、その高さが、パッド部の側壁４１ａの後端部の厚み、特に開口４６の周辺の厚みと等しくなるように形成されている。
さらに、側壁６１には、突起６８が設けられている。突起６８は側壁６１の内面に設けられており、上下方向（ｙ軸方向）に長い形状であって、後方支持部材６の内側に突出する形状である。また、突起６８の上端は、側壁６１の上端よりも上方に突出している。
後方支持部材６も前方支持部材５と同様に、プラスチック材からなり、一般的な射出成型により成型可能である。
【００１４】
図５は、ショルダーパッド３の分解斜視図である。
図５に示すように、前方支持部材５及び後方支持部材６は、パッド本体４を外側から保持することで、パッド本体４を本体ケーシング２１に固定するようになっている。
具体的には、図５に示すように、前方支持部材５のボス５５、並びに後方支持部材６のボス６５及び６７は、それぞれ、パッド部４１の開口４６、４７、及び４５に挿入される。これらのボス５５、６５及び６７のビス穴５４、６４、及び６６には、それぞれ、ビス７１、７２、及び７３が挿入される。これらのビス７１〜７３はさらに、本体ケーシング２１に形成されているビス穴（図示せず）に挿入される。こうして、ボス５５、６５及び６７は、本体ケーシング２１に形成されているボス（図示せず）と直接接触するように固定される。
【００１５】
このとき、パッド部４１の前端部において、前方支持部材５の側壁５１はパッド部４１の側壁４１ａに、前方支持部材５の底壁５２はパッド部４１の底壁４１ｂに、それぞれ接触する。また、パッド部４１の後端部において、後方支持部材６の側壁６１はパッド部４１の側壁４１ａに、後方支持部材６の底壁６２はパッド部４１の底壁４１ｂに、それぞれ接触する。前方支持部材５の前方壁５３はパッド本体４の前端に、後方支持部材６の後方壁６３はパッド本体４の後端に接触し、それぞれ、パッド本体４の前端及び後端を覆うように配置される。
以上のように、パッド本体４の前端が前方支持部材５と本体ケーシング２１とで挟まれ、パッド本体４の後端が後方支持部材６と本体ケーシング２１とで挟まれることで、パッド本体４が、本体ケーシング２１に固定される。
【００１６】
後方支持部材６の突起６８は、後方支持部材６がパッド本体４を支持している状態で、溝４３に嵌る位置に配置されている。また、突起６８は、この状態において、その上端がパッド部４１の上端部４１ｃよりも上方に突出するように形成されている。突起６８の上端が本体ケーシング２１に設けられた凹部（図示せず）に嵌ることで、本体ケーシング２１に対するショルダーパッド３の位置が決定される。
図６及び図７にショルダーパッド３及びその周辺における断面図を示す。図６はｙ‐ｚ平面における断面図であり、図７はｘ‐ｙ平面における断面図である。
図６に示すように、リブ４２の高さ、すなわち底壁４１ｂの内面からリブ４２の上端までの距離Ｈ１は、底壁４１ｂの内面から本体ケーシング２１の底面までの距離Ｈ２よりも短くなっている。その結果、本体ケーシング２１の底面とリブ４２の上端との間には、間隙が生じる。ただし、上に向かう力がパッド本体４に加わったときには、その力によってパッド部４１の底壁４１ｂに生じる変形により、リブ４２は本体ケーシング２１の底面に接触してもよい。
【００１７】
リブ４２が設けられていることによって、パッド本体４が本体ケーシング２１に固定された状態で、上に向かう力がパッド本体４に加わったときの、パッド部４１の変形量が規制される。また、リブ４２は本体ケーシング２１の底面とパッド部４１の底壁４１ｂとの接触を妨げる。その結果、パッド本体４はクッションとして機能し、使用者の肩及びカメラ本体２にかかる衝撃を和らげることができる。また、リブ４２がパッド部４１の横方向（ｚ軸方向）における変形量を規制することで、パッド部４１の変形によって、パッド部４１が本体ケーシング２１の側面よりも外側にはみ出すことが防止される。
なお、前後方向（ｘ軸方向）におけるパッド本体４の変形量は、前方支持部材５及び後方支持部材６によって規制される。
また、図６に示すように、本体ケーシング２１の側面と底面との間には、段部２４が設けられている。この段部２４は、段部２４にパッド部４１の上端４１ｃが嵌りこむように配置されている。上端４１ｃにおけるパッド部４１の最大幅Ｗ１は、段部２４の最大幅Ｗ２よりも小さく設定されている。言い換えると、パッド部４１の側壁４１ａの厚みＷ３が、段部２４の幅Ｗ４以下に設定されている。特に、厚みＷ３は、好ましくは幅Ｗ４よりも小さく設定される。これによって、パッド部４１が本体ケーシング２１よりも外側に突出することがない。その結果、指などがパッド部４１に引っかかって本体ケーシング２１に対するパッド部４１の位置がずれることが防止される。
【００１８】
また、図６に示すように、段部２４には凹部２５が設けられている。凹部２５は、後方支持部材６がパッド本体４を支持している状態で、パッド部４１の突起４４が凹部２５に嵌る位置に設けられている。突起４４が凹部２５に挿入されることで、ｚ軸方向におけるパッド部４１の広がりが抑制される。つまり、上に向かう力がパッド本体４に加えられたときに、パッド部４１の変形によって、パッド部４１が本体ケーシング２１の側面よりも外側にずれることが防止される。
上述したように、パッド部４１の底壁４１ｂの外面には、凹部４１ｄが設けられている（図７）。また、図６に示すように、凹部４１ｄを含む底壁４１ｂの外面全体は、右方が左方よりも下がるように斜めに形成されている。具体的には、段部２４の高さは左右で略同一であり、パッド部４１の側壁４１ａの高さは、右方の側壁４１ａが左方の側壁４１ａよりも大きくなっている。このようなパッド部４１の形状は、使用者の右肩に沿う形状の一例である。
【００１９】
本実施形態のショルダーパッド３は、パッド部４１がコの字形状あって、内部にリブ４２を備えることにより、パッド部４１の内部を空洞化しても、クッションとしての適度な弾力性を実現することができる。
さらに、ショルダーパッド３では、弾力性を有するパッド本体４と、パッド本体４を固定する前方支持部材５及び後方支持部材６とが、分離されている。それゆえ、パッド本体４、前方支持部材５及び後方支持部材６等の各部材を、一般的な射出成型で成型できる。その結果、各部材の製造における歩留まりが良いという利点がある。また、パッド本体４、前方支持部材５及び後方支持部材６は、その内部が空洞なので、材料の分量が少なく抑えられ、その結果、製造にかかるコストを削減することができる。
さらに、パッド本体４、前方支持部材５及び後方支持部材６等の各部材は、単一の材料で形成されている。そのため、ショルダーパッド３を分解することで、異種材料を容易に分離させることができる。よって、ショルダーパッド３は、リサイクルしやすいという利点も有する。
【００２０】
Ｉ‐２．ビデオカメラの特徴
（１）
ショルダーパッド３のパッド本体４は、第１側壁４１ａと、第１側壁に向かい合うように設けられた第２側壁４１ａと、これらの側壁４１ａの間に、これらの側壁４１ａと共にコの字形状を形成するように設けられた底壁４１ｂと、を備える弾性体であるパッド部４１と；パッド部４１のコの字形状の内側に、２つの側壁４１ａの一方から他方まで設けられたリブ４２と；を備える。
パッド本体４は、パッド部４１及びリブ４２を備えることで、クッションとしての弾力性を実現することができる。それゆえ、パッド内の充填材が不要であり、製造コストが低減される。
【００２１】
（２）
リブ４２は、パッド部４１と一体として形成されているので、パッド本体４全体は、一般的な射出成型により製造可能である。それゆえ、製造工程が簡素化され、製造コストがさらに低減される。
（３）
底壁４１ｂは、パッド部４１の底壁４１ｂから側壁４１ａの突出している方向、つまり上方向に窪むように湾曲した底面を有する。すなわち、底壁４１ｂは、その底面に凹部４１ｄを有する。この凹部４１ｄに肩を合わせることで、使用者はビデオカメラ１を肩に固定することができる。
また、凹部４１ｄの湾曲の谷は、ｚ軸方向に沿って底壁４１ｂを横切る形状であることで、使用者はビデオカメラ１を肩にさらに固定しやすい。
【００２２】
（４）
リブ４２は、パッド部４１がカメラ本体２に固定されたときに、カメラ本体２とリブ４２との間に間隙ができるように設けられる。これによって、クッションとしての弾力性と剛性とを両立させることができる。
（５）
前方支持部材５は、使用者に対する前後方向において、パッド部４１の前端に配置され、後方支持部材６は、後端に配置される。つまり、これらの支持部材は使用者の肩の前後に配置される。それゆえ、支持部材は、使用者の肩に当たることがなく、使用者に痛み等の違和感を与えることがない。
＜他の実施形態＞
本発明の実施形態は、前述の実施形態に限られず、本発明の趣旨を逸脱しない範囲で種々の修正および変更が可能である。また、前述の実施形態は、本質的に好ましい例示であって、本発明、その適用物、あるいはその用途の範囲を制限することを意図するものではない。
【００２３】
（Ａ）
第１実施形態ではリブ４２同士は互いに平行であったが、２以上のリブ４２は、互いに異なる方向に沿って延びる形状であってもよい。
また、リブ４２の延びる方向はｚ軸方向以外の方向に延びる形状であってもよい。
（Ｂ）
パッド部を本体装置に固定する固定部の例として、第１実施形態では、パッド部４１と別部材である前方支持部材５及び後方支持部材６を挙げた。ただし、これ以外にも、パッド部４１と一体として形成された突起及び／又はボス等が、固定部として機能してもよい。
（Ｃ）
パッド本体４、前方支持部材５及び後方支持部材６等、ショルダーパッド３に含まれる各種部材の材質及び製造方法は、上述の第１実施形態に限定されるものではなく、適宜変更可能である。
【００２４】
（Ｄ）
上述の第１実施形態では、ショルダーパッドを実施の一形態として挙げたが、本発明は、これ以外にも、体の他の部分に適用される各種パッドに適用可能である。
（Ｅ）
上述の第１実施形態では、本体装置としてカメラ本体２を挙げたが、本発明のパッドは、ビデオカメラ以外の種々の装置に適用可能である。
【産業上の利用可能性】
【００２５】
本発明のパッドは、従来よりも低コストでクッション性を出すことができるため、ビデオカメラを始めとする各種装置のショルダーパッドとして使用可能である。また、肩以外の部分にも適用が可能である。
【図面の簡単な説明】
【００２６】
【図１】本発明の実施の一形態に係るビデオカメラの側面図。
【図２】パッド本体の斜視図。
【図３】前方支持部材の斜視図。
【図４】後方支持部材の斜視図。
【図５】ショルダーパッドの分解斜視図。
【図６】ｙ‐ｚ平面におけるビデオカメラ下部の断面図。
【図７】ｘ‐ｙ平面におけるビデオカメラ下部の断面図。
【図８】従来のショルダーパッドの断面図。
【符号の説明】
【００２７】
１  ビデオカメラ
２  カメラ本体
３  ショルダーパッド
４      パッド本体（パッドの一例）
４１    パッド部
４２    リブ
４１ａ  側壁
４１ｂ  底壁
４３    溝
４４    突起
４５〜４７  開口  ５      前方支持部材（固定部の一例）
６      後方支持部材（固定部の一例）
１４  開口部
１００  ショルダーパッド
１０１  表皮
１０２  流動体
１０３  下部骨板
１０４  下部骨板
１０５  上部骨板
【図１】
2009271511.tif 000003
【図２】
2009271511.tif 000004
【図３】
2009271511.tif 000005
【図４】
2009271511.tif 000006
【図５】
2009271511.tif 000007
【図６】
2009271511.tif 000008
【図７】
2009271511.tif 000009
【図８】
2009271511.tif 000010